(57)【特許請求の範囲】
【請求項１】
主帽体に設けられた左側および右側のチンガード支持機構と、その左側および右側の端部付近が上記左側および右側のチンガード支持機構にそれぞれ回動可能に取り付けられたチンガードとを備えているヘルメットにおいて、
上記左側および右側のチンガード支持機構のそれぞれが、上記主帽体に固定された第１の固定側部材と、上記チンガードに固定された第１の可動側部材と、上記第１の固定側部材に固定された第２の固定側部材とを備え、
凸型の環状倣わせ面が上記第２の固定側部材に設けられ、
上記凸型の環状倣わせ面に倣いながら往復回動することができる凹型の環状倣い面が上記第１の可動側部材に設けられ、
上記チンガードを下降位置から上昇方向に往回動させたときに、上記凹型の環状倣い面が上記凸型の環状倣わせ面に倣いながら往回動することによって、上記チンガードが前方に移動しながら上昇するように構成し、
上記第２の固定側部材に対する上記第１の可動側部材の往復回動位置のいかんにかかわらず、上記凹型の環状倣い面が上記凸型の環状倣わせ面に対して互いに離間した３ヶ所で実質的に常時接触するように構成し、
上記３ヶ所の接触によって、上記第２の固定側部材に対する上記第１の可動側部材の不要な直線往復動が阻止されるように構成し、
上記３ヶ所の接触が、
（Ａ）上記凸型の環状倣わせ面の第１の凸状倣わせ面部分の周面と、上記凹型の環状倣い面のうちの、上記第１の凸状倣わせ面部分と同形の第１の凹状倣い面部分の周面およびその近傍から成る領域との相互の接触、
（Ｂ）上記凸型の環状倣わせ面の第２の凸状倣わせ面部分の周面と、上記凹型の環状倣い面のうちの、上記第２の凸状倣わせ面部分よりも周方向に長い第２の凹状倣い面部分の周面およびその近傍から成る領域との相互の接触、
（Ｃ）上記凹型の環状倣い面の反り返り形状の倣い面部分の周面と、上記凸型の環状倣わせ面のうちの、上記第１の凸状倣わせ面部分と上記第２の凸状倣わせ面部分との間における円形状の倣わせ面本体部分の周面との接触、
であることを特徴とするヘルメット。
【請求項２】
主帽体に設けられた左側および右側のチンガード支持機構と、その左側および右側の端部付近が上記左側および右側のチンガード支持機構にそれぞれ回動可能に取り付けられたチンガードとを備えているヘルメットにおいて、
上記左側および右側のチンガード支持機構のそれぞれが、上記主帽体に固定された第１の固定側部材と、上記チンガードに固定された第１の可動側部材と、上記第１の固定側部材に固定された第２の固定側部材とを備え、
凹型の環状倣わせ面が上記第２の固定側部材に設けられ、
上記凹型の環状倣わせ面に倣いながら往復回動することができる凸型の環状倣い面が上記第１の可動側部材に設けられ、
上記チンガードを下降位置から上昇方向に往回動させたときに、上記凸型の環状倣い面が上記凹型の環状倣わせ面に倣いながら往回動することによって、上記チンガードが前方に移動しながら上昇するように構成し、
上記第２の固定側部材に対する上記第１の可動側部材の往復回動位置のいかんにかかわらず、上記凸型の環状倣い面が上記凹型の環状倣わせ面に対して互いに離間した３ヶ所で実質的に常時接触するように構成し、
上記３ヶ所の接触によって、上記第２の固定側部材に対する上記第１の可動側部材の不要な直線往復動が阻止されるように構成し、
上記３ヶ所の接触が、
（Ａ）上記凸型の環状倣い面の第１の凸状倣い面部分の周面と、上記凹型の環状倣わせ面のうちの、上記第１の凸状倣い面部分と同形の第１の凹状倣わせ面部分の周面およびその近傍から成る領域との相互の接触、
（Ｂ）上記凸型の環状倣い面の第２の凸状倣い面部分の周面と、上記凹型の環状倣わせ面のうちの、上記第２の凸状倣い面部分よりも周方向に長い第２の凹状倣わせ面部分の周面およびその近傍から成る領域との相互の接触、
（Ｃ）上記凸型の環状倣い面の円形状の倣い面本体部分の周面と、上記凹型の環状倣わせ面のうちの、上記第１の凹状倣わせ面部分と上記第２の凹状倣わせ面部分との間における反り返り形状の倣わせ面部分の周面との接触、
であることを特徴とするヘルメット。
【請求項３】
その左側および右側の端部付近が上記左側および右側のチンガード支持機構に回動可能に取り付けられたシールド板をさらに備え、
上記左側および右側のチンガード支持機構のそれぞれが、上記第１の可動側部材に対して前後方向に往復動可能に支持されている第２の可動側部材をさらに備え、
第２の倣わせ面が上記第１の可動側部材に設けられ、
上記第２の倣わせ面に倣いながら往復動することができる第２の倣い面が上記シールド板に設けられ、
上記チンガードに対して上記シールド板を下降位置から上昇方向に往回動させたときに、上記第２の倣い面が上記第２の倣わせ面に倣いながら往動することによって、上記シールド板が前方に移動しながら上昇するように構成したことを特徴とする請求項１または２に記載のヘルメット。
【請求項４】
上記第２の可動側部材に設けられた第１のストッパ部と、上記第１のストッパ部に当接し得るように上記シールド板に設けられた第１の被ストッパ部とを備え、
上記第１の固定側部材に設けられた第２のストッパ部と、上記第１の可動側部材に設けられた第２の被ストッパ部とをさらに備え、
上記第２の固定側部材に設けられた第３のストッパ部と、上記シールド板に設けられた第３の被ストッパ部とをさらに備え、
上記シールド板が上記チンガードに対して第１の所定角度上昇したときには、上記第１の被ストッパ部が上記第１のストッパ部に当接することによって、上記シールド板のさらなる上昇が阻止され、
上記チンガードが上記主帽体に対して上記第１の所定角度よりも大きい第２の所定角度上昇したときには、上記第２の被ストッパ部が上記第２のストッパ部に当接することによって、上記チンガードのさらなる上昇が阻止され、
上記シールド板が上記主帽体に対して上記第２の所定角度上昇したときには、上記第３の被ストッパ部が上記第３のストッパ部に当接することによって、上記シールド板のさらなる上昇が阻止されるように構成したことを特徴とする請求項３に記載のヘルメット。
【発明の詳細な説明】
【技術分野】
【０００１】
本発明は、主帽体に設けられた左側および右側のチンガード支持機構と、その左側および右側の端部付近が上記左側および右側のチンガード支持機構にそれぞれ回動可能に取り付けられたチンガードとを備えているヘルメットに関するものである。
【背景技術】
【０００２】
上述のように構成されたヘルメットは、特許文献１に開示されているように、従来から知られている。そして、この特許文献１に開示されているヘルメット（以下、「特許文献１のヘルメット」という。）においては、上記左側および右側のチンガード支持機構のそれぞれが、主帽体の左側面または右側面に固定された固定側ユニットと、上記チンガードの左側または右側の端部付近に固定された回動側ユニットとを備えている。また、上記固定側ユニットには、前方に向かって斜め上方に延在している第１の長手状案内孔と、この第１の長手状案内孔の下方に配されるとともに前方に向かって斜め下方に延在している第２の長手状案内孔とが設けられている。そして、上記第１の長手状案内孔の長さ方向は、上記第２の長手状案内孔の長さ方向とはほぼ直交している。また、上記第１および第２の長手状案内孔のそれぞれは、ほぼ直線状に延在している。さらに、上記回動側ユニットには、上記第１の長手状案内孔に挿入されてこの第１の長手状案内孔に案内される第１の連結部と、上記第２の長手状案内孔に挿入されてこの第２の長手状案内孔に案内される第２の連結部とが設けられている。
【０００３】
上述のように構成された特許文献１のヘルメットにおいては、チンガードが最下降位置から最上昇位置に移動するときに、第２の連結部が第２の長手状案内孔の上端側からこの第２の長手状案内孔の下端側に移動する。これとともに、第１の連結部が第１の長手状案内孔の下端側から上端側に移動した後に、上記上端側から上記下端側に移動する。したがって、チンガードは、最下降位置から上昇の途中の位置まで上昇する間に、前方にも多少移動する。そして、チンガードは、この上昇の途中の位置から最上昇位置まで上昇する間に、後方にも多少移動する。さらに、チンガードは、最上昇位置から最下降位置に下降するときに、上記上昇の場合とは逆に（換言すれば、上記上昇の場合と同様に）前方にも多少移動してから後方にも多少移動する。
【先行技術文献】
【特許文献】
【０００４】
【特許文献１】米国特許公開Ｎｏ．２００９／０１００５７６
【発明の概要】
【発明が解決しようとする課題】
【０００５】
しかし、特許文献１のヘルメットの左側または右側のチンガード支持機構においては、主帽体の左側面および右側面と、チンガードの左側および右側の端部付近との間に、第１および第２の長手状案内孔をそれぞれ備えている固定側ユニットと、第１および第２の連結部をそれぞれ備えている回動側ユニットとが設けられる必要がある。このために、チンガード支持機構のそれぞれの構造が比較的複雑であるとともに、チンガード支持機構の動作が円滑に行われ難くなるおそれがある。また、主帽体の左側面および右側面とチンガードの左側および右側の端部付近とに、上記固定側ユニットおよび上記回動側ユニットをそれぞれ設けるためのスペースが必要であるから、左側および右側のチンガード支持機構を含めたチンガードの端部付近の構造が嵩高になるとともに、左側および右側のチンガード支持機構を含むヘルメットの幅方向の寸法が大きくなるおそれがある。
【０００６】
本発明は、特許文献１のヘルメットにおける上述のような欠点を、比較的簡単な構成でもって、確実に解決し得るようにしたものである。
【課題を解決するための手段】
【０００７】
本発明は、主帽体に設けられた左側および右側のチンガード支持機構と、その左側および右側の端部付近が上記左側および右側のチンガード支持機構にそれぞれ回動可能に取り付けられたチンガードとを備えているヘルメットにおいて、上記左側および右側のチンガード支持機構のそれぞれが、上記主帽体に固定された第１の固定側部材と、上記チンガードに固定された第１の可動側部材と、上記第１の固定側部材に固定された第２の固定側部材とを備え、凸型または凹型の環状倣わせ面が上記第２の固定側部材に設けられ、上記凸型または凹型の環状倣わせ面に倣いながら往復回動することができる凹型または凸型の環状倣い面が上記第１の可動側部材に設けられ、上記チンガードを下降位置から上昇方向に往回動させたときに、上記環状倣い面が上記環状倣わせ面に倣いながら往回動することによって、上記チンガードが前方に移動しながら上昇するように構成したヘルメットに係るものである。
【０００８】
なお、本発明は、その第１の観点においては、その左側および右側の端部付近が上記左側および右側のチンガード支持機構に回動可能に取り付けられたシールド板をさらに備え、上記左側および右側のチンガード支持機構のそれぞれが、上記第１の可動側部材に対してほぼ前後方向に往復動可能に支持されている第２の可動側部材をさらに備え、第２の倣わせ面が上記第１の可動側部材に設けられ、上記第２の倣わせ面に倣いながら往復動することができる第２の倣い面が上記シールド板に設けられ、上記チンガードに対して上記シールド板を下降位置から上昇方向に往回動させたときに、上記第２の倣い面が上記第２の倣わせ面に倣いながら往動することによって、上記シールド板が前方に移動しながら上昇するように構成している。そして、本発明は、上記第１の観点の１つの実施態様においては、上記第２の可動側部材に設けられた第１のストッパ部と、上記第１のストッパ部に当接し得るように上記シールド板に設けられた第１の被ストッパ部とを備え、上記第１の固定側部材に設けられた第２のストッパ部と、上記第１の可動側部材に設けられた第２の被ストッパ部とをさらに備え、上記第２の固定側部材に設けられた第３のストッパ部と、上記シールド板に設けられた第３の被ストッパ部とをさらに備え、上記シールド板が上記チンガードに対して第１の所定角度上昇したときには、上記第１の被ストッパ部が上記第１のストッパ部に当接することによって、上記シールド板のさらなる上昇が阻止され、上記チンガードが上記主帽体に対して上記第１の所定角度よりも大きい第２の所定角度上昇したときには、上記第２の被ストッパ部が上記第２のストッパ部に当接することによって、上記チンガードのさらなる上昇が阻止され、上記シールド板が上記主帽体に対して上記第２の所定角度ほぼ上昇したときには、上記第３の被ストッパ部が上記第３のストッパ部に当接することによって、上記シールド板のさらなる上昇が阻止されるように構成している。
【０００９】
さらに、本発明は、その第２の観点においては、上記第２の固定側部材に対する上記第１の可動側部材の往復回動位置のいかんにかかわらず、上記凹型または凸型の環状倣い面が上記凸型または凹型の環状倣わせ面に対して互いに離間した３ヶ所で実質的に常時接触するように構成し、上記３ヶ所の接触によって、上記第２の固定側部材に対する上記第１の可動側部材の不要な直線往復動が阻止されるように構成している。そして、本発明は、上記第２の観点の１つの実施態様においては、上記凸型または凹型の環状倣わせ面が凸型の環状倣わせ面であり、上記凹型または凸型の環状倣い面が凹型環状倣い面であり、上記３ヶ所の接触が、
（Ａ）上記凸型環状倣わせ面の第１の凸状倣わせ面部分の周面と、上記凹型環状倣い面のうちの、上記第１の凸状倣わせ面部分とほぼ同形の第１の凹状倣い面部分の周面およびその近傍から成る領域との相互の接触、
（Ｂ）上記凸型環状倣わせ面の第２の凸状倣わせ面部分の周面と、上記凹型環状倣わせ面のうちの、上記第２の凸状倣わせ面部分よりも周方向に長い第２の凹状倣い面部分の周面およびその近傍から成る領域との相互の接触、
（Ｃ）上記凸型環状倣わせ面のうちの上記第１の凸状倣わせ面部分と上記第２の凸状倣わせ面部分との間におけるほぼ円形状の倣わせ面本体部分の周面と、上記凹型環状倣わせ面の反り返り形状の倣い面部分の周面との接触、
である。
【発明の効果】
【００１０】
本発明によれば、チンガードの昇降を比較的良好に行わせることができるチンガード支持機構の構造を比較的簡単にすることができるとともに、上記チンガード支持機構の動作を比較的円滑に行わせることができる。また、上記チンガード支持機構を含むチンガードの端部付近の構造を特に嵩高にする必要がないとともに、左側および右側のチンガード支持機構を含むヘルメットの幅方向の寸法を特に大きくする必要がない。
【００１１】
また、請求項２に係る発明によれば、チンガードおよびシールド板の両方の昇降を比較的良好に行わせることができるチンガード支持機構の構造を比較的簡単にすることができるとともに、上記チンガード支持機構の動作を比較的円滑に行わせることができる。また、上記チンガード支持機構を含むチンガードの端部付近の構造を特に嵩高にする必要がないとともに、左側および右側のチンガード支持機構を含むヘルメットの幅方向の寸法を特に大きくする必要がない。
【００１２】
また、請求項３に係る発明によれば、チンガードを最下降位置に保持させたままでシールド板を上昇させたときには、シールド板は第２の所定角度よりも小さい第１の所定角度しか上昇しないので、シールド板の必要以上の上昇を阻止することができる。それでいて、チンガードを上記第１の角度よりも大きい角度まで上昇させたときには、シールド板もチンガードとともに大きい角度まで上昇することができるので、チンガードが上記第１の所定角度よりも大きい角度まで上昇するときに、シールド板がチンガードの上昇を妨げるおそれがない。しかも、チンガードおよびシールド板のいずれもが、上記第２の所定角度までしか上昇しないので、チンガードおよびシールド板の必要以上の上昇を阻止することができる。
【００１３】
また、請求項４に係る発明によれば、第２の固定側部材に対する第１の可動側部材の往復回動時における前者に対する後者の不要な直線往復動を、比較的簡単な構成でもって、比較的確実に阻止することができる。
【００１４】
さらに、請求項５に係る発明によれば、第２の固定側部材に対する第１の可動側部材の往復回動時における前者に対する後者の不要な直線往復動を、さらに簡単な構成でもって、さらに確実に阻止することができる。
【図面の簡単な説明】
【００１５】
【図１】本発明の一実施例によるヘルメットの、チンガードを最下降状態にした斜視図である。（実施例１）
【図２】図１のヘルメットの、チンガードを最上昇状態にした斜視図である。（実施例１）
【図３】図１のヘルメットの左側面図である。（実施例１）
【図４】図３のヘルメットの、左側面図である。（実施例１）
【図５】組み立て工程の初期における図４のヘルメットの、シェルの左側面にベース板を取り付けた状態での左側面図である。（実施例１）
【図６】図５のシェルに取り付けられるチンガードとこのチンガードに取り付けられるシールドベースとの、互いに分離した状態での左側面図である。（実施例１）
【図７】シールドベースが取り付けられた図６のチンガードとこのシールドベースに取り付けられるシールド支軸部材との、互いに分離した状態での左側面図である。（実施例１）
【図８】シールド支軸部材がシールドベースに取り付けられた図７のチンガードとこのシールドベースを軸支するワッシャ付き軸部材との、互いに分離した状態での左側面図である。（実施例１）
【図９】ワッシャ付き軸部材を支持板にボルト止めすることによって図８のチンガードをシェルに組み込んだ状態での左側面図である。（実施例１）
【図１０】図３のシールド板の左側面図である。（実施例１）
【図１１】図３のヘルメットの部分的な左側面図である。（実施例１）
【図１２】図１１のヘルメットの、シールド板を最上昇状態にした左側面図である。（実施例１）
【図１３】図３のヘルメットの、チンガードの最下降状態と、この最下降状態から上昇方向に１°回動させた状態とを示す部分的な左側面図である。（実施例１）
【図１３Ａ】図１３に示すチンガードの最下降状態における部分的な拡大左側面図である。（実施例１）
【図１３Ｂ】図１３に示すチンガードの最下降状態から上昇方向に１°回動させた状態における部分的な拡大左側面図である。（実施例１）
【図１４】図１３のヘルメットの、チンガードを１°上昇させた図１３の状態と、この図１３の状態から上昇方向にさらに回動させることによって最下降状態から上昇方向に２°回動させた状態とを示す左側面図である。（実施例１）
【図１５】図１４のヘルメットの、チンガードを２°上昇させた図１４の状態と、この図１４の状態から上昇方向にさらに回動させることによって最下降状態から上昇方向に４°回動させた状態とを示す左側面図である。（実施例１）
【図１６】図１５のヘルメットの、チンガードを４°上昇させた図１５の状態と、この図１５の状態から上昇方向にさらに回動させることによって最下降状態から上昇方向に８°回動させた状態とを示す左側面図である。（実施例１）
【図１７】図３のヘルメットの、チンガードを最下降状態から上昇方向に１６°回動させた状態を示す部分的な左側面図である。（実施例１）
【図１８】図３のヘルメットの、チンガードを最下降状態から開放方向に８０°回動させた最上昇状態にした部分的な左側面図である。（実施例１）
【図１９】図１３のヘルメットにおいてチンガードの回動支点が固定位置に設定されていると仮定した一参考例であって、チンガードを最下降状態から上昇方向に１°回動させた状態にしたヘルメットの部分的な左側面図である。（参考例１）
【発明を実施するための形態】
【００１６】
つぎに、本発明をチンガードが昇降可能なフルフェイス型ヘルメットに適用した一実施例を、「１、ヘルメット全体の概略的構成」、「２、チンガード支持機構の構成」および「３、チンガード支持機構の動作」に項分けして、図面を参照しつつ説明する。
【００１７】
１、ヘルメット全体の概略的構成
【００１８】
チンガードが昇降可能なフルフェイス型ヘルメット１は、図１〜図４に示すように、自動二輪車のライダなどの装着者の頭部に装着されるチンガードが昇降可能なフルフェイス型帽体２と、装着者の額部と顎部との間（すなわち、顔面のほぼ中央部分）に対向するように、帽体２の前面に形成された窓孔３を開閉し得るシールド板４と、帽体２の内側にそれぞれ取り付けられた左右一対の顎掛け用バンド（図示せず）とを備えている。
【００１９】
図１〜図４に示す帽体２は、周知のように、ジェット型ヘルメットの帽体とほぼ同一の形状を有していてよい主帽体５と、左右一対の軸支手段７によってこの主帽体５の左右両側において主帽体５に往復回動可能に取付けられた補助帽体としてのチンガード６とを備えている。したがって、主帽体５には、前面下端から上方へ大きく切れ込んだ切り込みによって構成された大きい窓部８が形成されている。また、チンガード６は、周知のように、前方へ膨らむように弯曲した顎覆い部６ａと、この顎覆い部６ａの左右両端から上方に延びていて主帽体２の左右両側に左右一対の軸支手段７（換言すれば、後述のチンガード支持機構２３）によってそれぞれ往復回動可能に軸支された左右一対の取り付け部６ｂとを備えている。そして、チンガード６が主帽体５に対して下方に回動した下降位置（特に、図１および図３に示す最下降位置）にあるときには、このチンガード６は装着者の顎部を覆う顎覆い手段として機能して窓部８の下方部分を塞ぐので、この窓部８の上方部分によって前記窓孔３が形成される。したがって、この窓孔３は、主帽体５の窓部８の上側縁部とチンガード６の上側縁部１１とによって囲まれた領域から成っている。
【００２０】
図１〜図４に示すシールド板４は、周知のように、ポリカーボネート、その他の硬質合成樹脂などの透明または半透明な硬質材料から成っていてよく、主帽体５の左右両側において左右一対の軸支手段１２（換言すれば、後述のシールド支軸部材２５）によって主帽体５に往復回動可能に取付けられている。そして、このシールド板４は、チンガード６が下降位置（特に、図１および図３に示す最下降位置）に有って顎覆い手段として機能しているときには、その復動位置（すなわち、下降位置）において窓孔３を閉塞し、また、その往動位置（すなわち、上昇位置）において窓孔３を開放する。
【００２１】
図１〜図４に示す主帽体５は、周知のように、この主帽体５の外周壁を構成しているジェット型の外側シェル１３と、この外側シェル１３の端部の全周囲にわたって接着などにより取付けられた断面ほぼＵ字状などの縁部材１４と、外側シェル１３の内周面に当接させて接着などによって取り付けられた主帽体用裏当て部材（図示せず）とから成っていてよい。なお、外側シェル１３は、周知のように、ＦＲＰ、その他の硬質合成樹脂などから成る強度の大きいシェル本体の内周面に不織布などの柔軟性シートを裏張りした複合材料から成っていてよい。また、断面ほぼＵ字状などの縁部材１４は、周知のように、発泡塩化ビニール、合成ゴム、その他の軟質合成樹脂などの可撓性に富んだ弾性材料から成っていてよい。
【００２２】
上記主帽体用裏当て部材は、周知のように、図１〜図４に示す主帽体用外側シェル１３の内周面に接着などにより取り付けられた主帽体用衝撃吸収ライナと、この衝撃吸収ライナの内周面をほぼ覆うように順次取り付けられた主帽体用ブロック状内装パッドおよび主帽体用裏当てカバーとから成っていてよい。そして、上記主帽体用衝撃吸収ライナは、周知のように、発泡ポリスチレン、その他の合成樹脂などの適度な剛性と適度な塑性とを備えた材料から成っていてよい。また、上記主帽体用ブロック状内装パッドは、周知のように、ウレタンフォーム、その他の合成樹脂などの柔軟性に富んだ１個または複数個の弾性材料と、この弾性材料の内側面および外側面を袋状に覆っている多孔性不織布とから成っていてよい。さらに、上記主帽体用裏当てカバーは、周知のように、主帽体用衝撃吸収ライナに対向する側の面にウレタンフォーム、その他の合成樹脂などの柔軟性に富んだ弾性材料から成る層をラミネートした多孔性不織布から成っていてよい。
【００２３】
図１〜図４に示すチンガード６は、周知のように、このチンガード６の外周壁を構成している外側シェル１５と、この外側シェル１５の端部の一部分（具体的には、外側シェル１５の上端部）に接着などにより取付けられた断面ほぼＥ字状などの縁部材（図示せず）と、外側シェル１５の内周面に当接させて接着などにより取付けられたチンガード用裏当て部材（図示せず）とから成っていてよい。なお、外側シェル１５およびその断面ほぼＵ字状などの縁部材は、周知のように、主帽体用の外側シェル１３およびその断面ほぼＵ字状などの縁部材１４のそれぞれについてすでに述べた材料と同様の材料から成っていてよい。
【００２４】
上記チンガード用裏当て部材は、周知のように、図１〜図４に示すチンガード用外側シェル１５の内周面に接着などにより取り付けられたチンガード用衝撃吸収ライナと、この衝撃吸収ライナの内周面をほぼ覆うように取付けられたチンガード用裏当てカバーとから成っていてよい。そして、チンガード用衝撃吸収ライナは、発泡ウレタンゴム、その他の合成樹脂などの適度な剛性と適度な塑性とを備えた材料から成っていてよい。また、チンガード用裏当てカバーは、塩化ビニール樹脂などの合成樹脂から成る人工皮革、その他の布地から成っていてよい。さらに、主帽体５の頭頂部付近の外周面には、図１〜図４に示すように、頭頂部用通気孔形成部材１６が取り付けられている。また、チンガード６の顎覆い部６ａには、通気孔１７が形成されている。なお、チンガード６には、図２に示すように、このチンガード６を最下降位置にロックするロック爪部などのロック手段（図示せず）のロックを解除するために押圧操作されるロック解除用操作ボタン１８が設けられている。また、主帽体５の外側面には、図２、図４および図５に示すように、チンガード６を最下降位置に保持するための上記ロック手段（図示せず）が係合するロックピン１９が設けられている。
【００２５】
主帽体５には、図３〜図５に示すように、シールド板４およびチンガード６のそれぞれを主帽体５に支持するのに用いられる左右一対の支持板２１が設けられている。そして、これら左右一対の支持板２１のそれぞれは、図５に示すように、ポリアセタール樹脂、ＡＢＳ樹脂などの合成樹脂のような適当な材料から成るほぼ板状体であってよい。また、支持板２１は、取り付けねじ２２によって主帽体用の外側シェル１３に止着されていてよい。なお、シールド板４およびチンガード６のそれぞれを主帽体５に回動可能に支持するための左右一対のチンガード支持機構２３の構成および動作については、次項の「２、チンガード支持機構の構成」の項および次々項の「３、チンガード支持機構の動作」の項において詳細に説明する。
【００２６】
２、チンガード支持機構の構成
【００２７】
左右一対のチンガード支持機構２３のうちの左側のチンガード支持機構２３と右側のチンガード支持機構２３とは、互いに左右対称的に構成されている。したがって、以下においては、左側（換言すれば、着用者から見た左側）のチンガード支持機構２３について図面を参照して説明し、右側のチンガード支持機構２３についての説明は必要に応じて適宜省略する。
【００２８】
左側のチンガード支持機構２３は、つぎの（ａ）項〜（ｄ）項に記載の構成部材を備えている：
（ａ）図５に示すように、取り付け手段としての取り付けねじ２２によって主帽体５に取り付け固定される支持部または基板部もしくは第１の固定側部材としての支持板２１、
（ｂ）図６および図７に示すように、チンガード６の取り付け部６ｂに取り付け固定されるシールド板支持部またはシールド板用の基板部もしくは第１の可動側部材としてのシールドベース２４、
（ｃ）図７および図８に示すように、シールドベース２４に直線往復動可能に取り付けられるシールド支軸部または第２の可動側部材としてのシールド支軸部材２５、および
（ｄ）図８および図９に示すように、固定手段としてのボルト２６によって支持板２１に取り付け固定される第２の固定側部材としてのワッシャ付き軸部材２７。
【００２９】
チンガード支持機構２３を上記（ａ）項〜（ｄ）項に記載の構成部材から組み立てる際には、図５に示すように、支持板２１を主帽体５に取り付ける。一方、図７に示すように、シールドベース２４をチンガード６の取り付け部６ｂに取り付ける。ついで、図８に示すように、シールド支軸部材２５をシールドベース２４に取り付ける。ついで、図９に示すように、ワッシャ付き軸部材２７をボルト２６によって支持板２１に固定する。さらに、シールド板４の左側端部付近をシールド支軸部材２５に取り付けることによって、図１〜図４に示すヘルメット１が得られる。
【００３０】
支持板２１のほぼ中央部には、図５に示すように、ボルト２６を外側シェル１３にねじ込み固定するときに、このボルト２６が挿通される挿通孔３１が設けられている。また、シールドベース２４には、その外周部分に沿って、例えば４つのねじ挿通孔３２ａ〜３２ｄがそれぞれ配設されている。そして、これらのねじ挿通孔３２ａ〜３２ｄにそれぞれ挿通されたねじ（図示せず）をチンガード６の内側面のねじ穴（図示せず）にそれぞれねじ込むことによって、シールドベース２４をチンガード６の取り付け部６ｂの内側面に取り付けるようにしている。このために、取り付け部６ｂは、ほぼ上方に向かって湾曲した形状を有していて横倒しになったほぼＵ字形状に構成されている。そして、シールドベース２４の外周囲の外側面がこのほぼＵ字形状の取り付け部６ｂの内周囲の内側面に沿ってこの取り付け部６ｂに重ね合わされている。
【００３１】
シールドベース２４のねじ挿通孔３２ｂの外周囲には、このシールドベース２４の内側面から外方（換言すれば、さらに内側の方向）に向かって突出している前記第２の被ストッパ部としての円筒状などの筒状突起部３３が配設されている。そして、支持板２１の外側面には、上記筒状突起部３３に対応するように、この筒状突起部３３よりも一回り大きくかつ高さが比較的低い長円筒状などの筒状突起部３４が配設されている。また、支持板２１の外側面には、上記筒状突起部３３に対応するように、この筒状突起部３３が乗り越えることのできる横倒しのほぼ三角柱状などの柱状突起部３５と、この柱状突起部３５に隣接している前記第２のストッパ部としてのストッパ用の突起部３６とがそれぞれ配設されている。
【００３２】
支持板２１の外側面のほぼ中央部分には、図５に示すように、ボルト挿通孔３１を取り囲むように、ほぼ平板形状であってよいほぼ直方体形状などの突出部４１が形成されている。この場合、図５を平面的に見て突出部４１を形成している辺のうちの互いに対向する一対の長辺は、互いにほぼ平行に形成されている。そして、図９に示すように、この突出部４１がワッシャ付き軸部材２７の内側面に形成された嵌合穴４２に嵌合しているので、ワッシャ付き軸部材２７は、上記ほぼ平行な方向に往復摺動することができる。したがって、固定手段としてのボルト２６を外側シェル１３にねじ込み固定する前に、上記往復摺動を行うことによって、チンガード６（ひいては、シールド板４）の最下降位置などの前後方向における位置を簡単に調整することができる。また、突出部４１の長さ方向における両側付近には、一対の開孔４３ａ、４３ｂがそれぞれ形成されている。そして、これら一対の開孔４３ａ、４３ｂには、ワッシャ付き軸部材２７の内側面に配設された一対の突起部４４ａ、４４ｂがそれぞれ嵌合しているので、これらの嵌合によって、嵌合穴４２に対する突出部４１のがたつきを防止することができる。
【００３３】
支持板２１のうちの前側の端部付近には、図５に示すように、ほぼ上下方向においてほぼ円弧状に形成されたリブ形状の突壁部４５が配設されている。そして、チンガード６を中間上昇位置からさらに上昇させたときには、シールドベース２４の突壁部４６が上記突壁部４５に乗り上がるので、シールドベース２４およびチンガード６が上記突壁部４６の周辺において外側に拡げられる。このために、チンガード６は、主帽体５の窓孔３の上側の縁部材１４と重なり合う部分（図４参照）において、窓孔３の上側の縁部材１４に実質的に接触する（換言すれば、強く擦れる）ことがない。したがって、チンガード６が、この昇降時に、窓孔３の上側の縁部材１４を損傷させることがない。
【００３４】
支持板２１の外側面の上端部付近には、図５に示すように、シールドベース２４の往復回動時にこのシールドベース２４の内側面が当接した状態で摺動することができる突条部５１が配設されている。なお、突条部５１は、支持板２１の上端部付近に沿って弧状に湾曲していてよく、好ましくは複数本（図示の実施例においては、２本）がほぼ等間隔でもって延在していてよい。さらに、支持板２１には、軽量化、材料節減などのために、好ましくは複数個（図示の実施例においては、４個）の比較的大きな貫通孔５２が形成されている。
【００３５】
シールドベース２４の外側面には、図６および図７に示すように、一対の係合用爪部５３、５４が配設されている。また、シールドベース２４には、係合用開孔５５が配設されている。なお、一対の係合用爪部５３、５４と係合用開孔５５とは、ほぼ正三角形の３つの角部に相当する位置にそれぞれ設けられている。一方、シールドベース２４には、係合用爪部５３の近傍において、第１のばね係合用凸部５６が設けられている。また、シールドベース２４には、突壁部４６の近傍において、第２のばね係合用凸部５７も設けられている。なお、シールドベース２４には、これら第１および第２のばね係合用凸部５６、５７にそれぞれ対応して、第１および第２のばね逃げ用開口６１、６２がそれぞれ設けられている。さらに、シールドベース２４の前端付近の上端付近には、チンガード６の取り付け部６ｂの先端付近に設けられた係合用爪部６４が係合する係合用開口６３が設けられている。
【００３６】
シールドベース２４のほぼ中央部分には、図６および図７に示すように、その外周囲が凹型環状倣い面６５を構成している開孔６６が形成されている。そして、シールドベース２４の前端付近のほぼ中央部分には、その前端面が前記第２の倣わせ面としての凸状倣わせ面７１を構成している突壁部７２が設けられている。さらに、シールドベース２４の上側および下側の外側部付近には、チンガード６の取り付け部６ｂの内側面に形成されている好ましくは複数本の突条部７３がそれぞれ嵌合する好ましくは複数本の係合用溝７４が形成されている。
【００３７】
シールド支軸部材２５は、図７および図８に示すように、支軸部材本体７５と、この支軸部材本体７５に直線往復動可能に取り付けられているロック解除用操作部材７６と、このロック解除用操作部材７６を直線往復動可能なようにガイドするために、支軸部材本体７５に配設されているガイドピン７７とを備えている。そして、操作部材７６には、ガイドピン７７が挿入される長孔８１が設けられている。また、操作部材７６は、上記直線往復動を良好に行うために支軸部材本体７５によって位置保持される係合用爪部８２を備えている。さらに、ロック解除用操作部材７６は、その先端部に指掛け用の屈曲部８３を備えている。そして、操作部材７６の係合用爪部８２の内側面には、段差によって形成された前記第１のストッパ部としての第１のストッパ面１０９が設けられている。また、ロック解除用操作部材７６の基端部側には、その一側面によって構成された前記第１のストッパ部としての第２のストッパ面７９を有する突出部８０がほぼ後方に向かって突設されている。
【００３８】
支軸部材本体７５は、図７および図８に示すように、ワッシャ付き軸部材２７をそのほぼ中央部分に挿通させるためのばか穴としての開孔８４を有している。そして、この支軸部材本体７５には、図１０に示すシールド板４の第１の被係合用爪部８５および前記第２の被ストッパ部としての第２の被係合用爪部８６にそれぞれ係合する第１の係合用爪部８７および第２の係合用爪部８８が配設されている。なお、直線往復動する可動側の係合用爪部８２は、第２の係合用爪部８８の一部分を構成している。さらに、支軸部材本体７５の内側面には、シールドベース２４の係合用開孔５５にガイドされる被係合用の突起部９１が配設されている。
【００３９】
シールド板４には、図１０に示すように、第１の被係合用爪部８５と第２の被係合用爪部８６との間をほぼ半円形状に延在している被ガイド用突壁部９２が設けられている。そして、この被ガイド用突壁部９２は、第２の被係合用爪部８６の近傍に欠如部９０を有しているので、第１の被ガイド用突壁部９２ａおよび第２の被ガイド用突壁部９２ｂから成っている。また、図７および図８に示す支軸部材本体７５には、その外周囲によってこの被ガイド用突壁部９２をガイドするためのガイド用突壁部９３が設けられている。さらに、図８に示すように、支軸部材本体７５とロック解除用操作部材７６との間には、弾性付勢手段としての反撥用コイルばね９４が介装されている。そして、シールドベース２４と支軸部材本体７５との間には、弾性付勢手段としての第１および第２の反撥用コイルばね９５、９６が介装されている。具体的には、第１の反撥用コイルばね９５は、第１のばね係合用凸部５６と支軸部材本体７５の第１のばね係合用凹部９７との間に介装されている。また、第２の反撥用コイルばね９６は、第２のばね係合用凸部５７と支軸部材本体７５の第２のばね係合用凹部９８との間に介装されている。
【００４０】
図７および図８に示す支軸部材本体７５には、開孔８４側に向くように形成された波形形状のクリック用歯部１０１が配設されている。そして、図１０に示すシールド板４の内側面には、上記クリック用歯部１０１に係合することができるクリック用歯部１０２が配設されている。また、シールド板４の内側面には、シールドベース２４の突壁部７２の倣わせ面７１とは反対側の後端面から成る倣わせ面７０にほぼ沿って往復動することができる位置保持用の突起部１０４が配設されている。さらに、シールド板４の内側面には、図６〜図８に示すシールドベース２４の突壁部７２の倣わせ面７１にほぼ沿って往復動することができる前記第２の倣い面としての突起部１０５が配設されている。
【００４１】
ワッシャ付き軸部材２７は、図８および図９に示すように、軸部１０６と、この軸部１０６に一体成形されているワッシャ部１０７と、これらの軸部１０６およびワッシャ部１０７をそれぞれ含む軸部材２７全体を貫通して延在している中央開孔１０８とを備えている。そして、軸部１０６の外周囲には、互いにほぼ対向しているほぼ前後一対の凸状倣わせ面１１１、１１２が設けられている。また、これらの凸状倣わせ面１１１、１１２の内側面には、ワッシャ付き軸部材２７の前記突起部４４ａ、４４ｂがそれぞれ配設されている。さらに、ワッシャ部１０７の外周囲は、図８に示す外側面から見て、時計方向に向かうに従って径が渦巻き状に次第に小さくなっているので、前記第３のストッパ部としての段差部１１３が形成され、このために、ストッパ面としての被当接部１１３がこの段差部によって形成されている。一方、図１０に示すシールド板４には、被ガイド用突壁部９２の一端部において第１の被係合用爪部８５に対向するように配設された前記第３のストッパ部としての当接部１１４が形成されている。そして、予め或る程度上昇していたシールド板４をチンガード６を上昇させることによって最上昇状態（換言すれば、８０°上昇した状態）にしたときには、当接部１１４が被当接部１１３に当接することによって、シールド板４のさらなる上昇が阻止される。
【００４２】
３、チンガード支持機構の動作
【００４３】
シールド板４は、
（ａ）図１、図３および図１１に示す最下降状態、
（ｂ）図１３に示す１°上昇した状態、
（ｃ）図１４に示す２°上昇した状態、
（ｄ）図１５に示す４°上昇した状態、
（ｅ）図１６に示す８°上昇した状態、
（ｆ）図１７に示す１６°上昇した状態、
（ｇ）図１２に示す４８°上昇した状態（換言すれば、チンガード６の最下降状態におけるシールド板４の最上昇状態）、
（ｈ）図２、図４および図１８に示す８０°上昇した最上昇状態、
のそれぞれを少なくとも採ることができる。ただし、シールド板４は、ヘルメット装着者などが適当な操作を行うことによって、上記（ａ）項に記載の状態から上記（ｈ）項に記載の状態まで、連続的に上昇することができる。そして、シールド板４は、ヘルメット装着者などが適当な操作を行うことによって、これとは逆に、上記（ｈ）項に記載の状態から上記（ａ）項に記載の状態まで、連続的に下降することができる。
【００４４】
チンガード６は、
（ｉ）図１、図３、図９、図１１および図１２に示す最下降状態、
（ｊ）図１３に示す１°上昇した状態、
（ｋ）図１４に示す２°上昇した状態、
（ｌ）図１５に示す４°上昇した状態、
（ｍ）図１６に示す８°上昇した状態、
（ｎ）図１７に示す１６°上昇した状態、
（ｏ）図２、図４および図１８に示す８０°上昇した最上昇状態、
のそれぞれを少なくとも採ることができる。ただし、チンガード６は、ヘルメット装着者などが適当な操作を行うことによって、上記（ｉ）項に記載の状態から上記（ｏ）項に記載の状態まで連続的に上昇することができる。そして、チンガード６は、ヘルメット装着者などが適当な操作を行うことによって、これとは逆に、上記（ｏ）項に記載の状態から上記（ｉ）項に記載の状態まで連続的に下降することができる。
【００４５】
上述のとおりであるから、以下において、
（ア）シールド板４およびチンガード６のそれぞれが、図１、図３、図９および図１１に示すように、最下降位置にある状態、
（イ）シールド板４およびチンガード６のそれぞれが、図１３に示すように、１°上昇した状態、
（ウ）シールド板４およびチンガード６のそれぞれが、図１４に示すように、２°上昇した状態、
（エ）シールド板４およびチンガード６のそれぞれが、図１５に示すように、４°上昇した状態、
（オ）シールド板４およびチンガード６のそれぞれが、図１６に示すように、８°上昇した状態、
（カ）シールド板４およびチンガード６のそれぞれが、図１７に示すように、１６°上昇した状態、
（キ）シールド板４およびチンガード６のそれぞれが、図２、図４および図１８に示すように、８０°上昇した状態、
（ク）図１２に示すように、チンガード６が最下降位置にありかつシールド板４だけが４８°上昇した状態、
に項分けして、図面を参照しつつ順次説明する。
【００４６】
（ア）シールド板４およびチンガード６が最下降位置にある状態
【００４７】
この（ア）項に記載の状態においては、チンガード６のロック爪部などの前記ロック手段（図示せず）が図２、図４および図５に示す主帽体５のロックピン１９に係合することによって、チンガード６が図１、図３、図９および図１１に示す最下降位置に保持されている。そして、この状態においては、図１３の一点鎖線に示すように、ワッシャ付き軸部材２７の軸部１０６の外周囲によって構成された凸型環状倣わせ面１１１がシールドベース２４の開孔６６の外周囲によって構成された凹型環状倣い面６５に部分的に接触している。具体的には、凸型環状倣わせ面１１１は、図１３Ａおよび図１３Ｂに示すように、平面的に見て、ほぼ円形状の倣わせ面本体部分１２３と、この本体部分１２３から互いに対向するように外方にそれぞれ突出している一対の山形形状の凸状倣わせ面部分１２４、１２５とを備えている。また、凹型環状倣い面６５は、凸状倣わせ面部分１２４と嵌合または係合もしくは接触し得るように配されかつこの凸状倣わせ面部分１２４とほぼ対応した山形形状を有する凹状倣い面部分１２６と、凸状倣わせ面部分１２５と接触し得るように配されかつ凸状倣わせ面部分１２５よりも円周方向に十分に長く（換言すれば、幅広に）構成された凹状倣い面部分１２７と、ほぼ円形状の倣わせ面本体部分１２３に接触し得るように一対の凹状倣い面部分１２６、１２７の間の一方の側に配された反り返り形状の倣い面部分１３１とを備えている。なお、凹状倣い面部分１２６、１２７と反り返り形状の倣い面部分１３１との合計３ヶ所は、互いに十分離間して配されている。
【００４８】
チンガード６が図１３の一点鎖線に示す最下降位置にあるときには、凹型環状倣い面１２６には、図１３Ａに示すように、凸型環状倣わせ面１１１がつぎの（Ａ）項〜（Ｃ）項に記載の３ヶ所で接触している：
（Ａ）凸状倣わせ面部分の周面１２４が凹状倣い面部分１２６の周面およびその近傍から成る領域に相対的に係合することによる両者の相互の接触、
（Ｂ）凸状倣わせ面部分１２５の周面が周方向に長い凹状倣い面部分１２７の周面およびその近傍から成る領域に接触することによる両者の相互の接触、および
（Ｃ）凸状倣わせ面部分１２４、１２５の間におけるほぼ円形状の倣わせ面本体部分１２３のうちの一方の側の部分１２３ａが反り返り形状の倣い面部分１３１に接触することによる両者の相互の接触。
【００４９】
したがって、上記３ヶ所の接触（以下、「前記３ヶ所の接触」という。）によって、ワッシャ付き軸部材２７が開孔６６を所定の位置に保持している。なお、前記３ヶ所の接触は、チンガード６およびシールド板４の上昇位置のいかんにかかわらず、実質的に常時行われている。
【００５０】
シールド板４は、下降方向においては、チンガード６の顎覆い部６ａの上端部に沿って延在している縁ゴムなどの縁部材（図示せず）によって位置規制されている。また、シールド板４は、上昇方向においては、図７に示す支軸部材本体７５のクリック用歯部１０１にこのシールド板４のクリック用歯部１０２が係合することによって位置規制されている。さらに、必要に応じて、ロックレバー（図示せず）を設けることができる。この場合、このロックレバーを操作してシールド板４をロックすることによって、シールド板４の上昇を強制的に阻止することができる。そして、上記ロックレバーを非ロック状態になるように操作することによって、シールド板４を手動により上昇させることができる。また、チンガード６が最下降位置に保持された状態のままで、シールド板４を手動により上昇および下降させることもできる。
【００５１】
（イ）シールド板４およびチンガード６が１°上昇した状態
【００５２】
図１３において一点鎖線で示す上記（ア）項に記載の状態（換言すれば、図１３Ａの状態）から図１３において二点鎖線で示す上記（イ）項に記載の状態（換言すれば、図１３Ｂの状態）に持ち来す場合には、図２に示すロック解除用操作ボタン１８をほぼ下方に押圧操作することによって、チンガード６の前記ロック手段と主帽体５のロックピン１９との係合を解除させるとともに、チンガード６を手動によって１°だけ上昇させる。このために、シールドベース２４の開孔６６がワッシャ付き軸部材２７の軸部１０６に対して図１３に示す時計方向に多少回動する。したがって、開孔６６の凹型環状倣い面６５が軸部１０６の凸型環状倣わせ面１１１に対して多少上昇しようとするので、この凹型環状倣い面６５は多少上昇しながら斜め前方にも移動する。この場合、この時点ではチンガード６に一体に結合されているシールド支軸部材２５がシールドベース２４と一体になって移動するので、図１３の一点鎖線に示す位置にあるシールド板４は、図１３の二点鎖線に示すように、チンガード６と実質的に一体になって移動する。そして、前記３ヶ所の接触によって、開孔６６に対する軸部１０６の相対的な直線移動が阻止される。このために、チンガード６およびシールド板４は、図１３の一点鎖線に示す位置から図１３の二点鎖線に示す位置まで上昇するとともに前方にも往動する。
【００５３】
図１９には、図１３のヘルメット１においてチンガード６の回動支点である取り付け軸１２１が固定位置に設定されていると仮定した一参考例が示されている。そして、この図１９においては、チンガード６が手動によって最下降状態から上昇方向に１°回動した状態が示されている。なお、チンガード６が１°回動するときには、シールド板４もチンガード６に伴われて上昇方向に１°回動する。この場合、シールド板４は、チンガード６と同様に、上昇方向に単に回動するだけである。このために、シールド板４の特に上端部の内側面が主帽体５側の縁ゴムなどの縁部材１２２に接触して擦れることになるから、シールド板４や縁部材１２２が損傷しやすい。しかし、図１３などに示す図示の実施例においては、上述のように、チンガード６およびシールド板４のそれぞれが上昇方向への回動だけではなくて前方にも往動するので、このような損傷を効果的に防止することができる。
【００５４】
（ウ）シールド板４およびチンガード６が２°上昇した状態
【００５５】
図１３において二点鎖線（換言すれば、図１４において一点鎖線）で示す上記（イ）項に記載の状態から図１４において二点鎖線で示す上記（ウ）項に記載の状態に持ち来す場合には、チンガード６を手動によってさらに１°だけ上昇させる。このために、上記（イ）項に記載した場合と同様に、開孔６６が軸部１０６に対して図１３に示す時計方向に多少回動するので、凸型環状倣わせ面１１１の凸状倣わせ面部分１２４は、凹状倣い面部分１２６から多少抜け出ようとする。したがって、図１４の一点鎖線に示す位置にあるシールド板４は、図１４の二点鎖線に示すように、チンガード６と実質的に一体になってさらに移動する。そして、前記３ヶ所の接触によって、開孔６６に対する軸部１０６の相対的な直線移動が阻止される。このために、チンガード６およびシールド板４は、図１４の一点鎖線に示す位置から図１４の二点鎖線に示す位置までさらに上昇するとともに前方にもさらに往動する。
【００５６】
（エ）シールド板４およびチンガード６が４°上昇した状態
【００５７】
図１４において二点鎖線（換言すれば、図１５において一点鎖線）で示す上記（ウ）項に記載の状態から図１５において二点鎖線で示す上記（エ）項に記載の状態に持ち来す場合には、チンガード６を手動によってさらに２°だけ上昇させる。このために、上記（ウ）項に記載した場合と同様に、開孔６６が軸部１０６に対して図１４に示す時計方向に多少回動するので、凸状倣わせ面部分１２４は、凹状倣い面部分１２６からさらに多少抜け出ようとする。したがって、図１５の一点鎖線に示す位置にあるシールド板４は、図１５の二点鎖線に示すように、チンガード６と実質的に一体になってさらに移動する。そして、前記３ヶ所の接触によって、開孔６６に対する軸部１０６の相対的な直線移動が阻止される。このために、チンガード６およびシールド板４は、図１５の一点鎖線に示す位置から図１５の二点鎖線に示す位置までさらに上昇するとともに前方にもさらに往動する。
【００５８】
（オ）シールド板４およびチンガード６が８°上昇した状態
【００５９】
図１５において二点鎖線（換言すれば、図１６において一点鎖線）で示す上記（エ）項に記載の状態から図１６において二点鎖線で示す上記（オ）項に記載の状態に持ち来す場合には、チンガード６を手動によってさらに４°だけ上昇させる。このために、上記（エ）項に記載した場合と同様に、開孔６６が軸部１０６に対して図１５に示す時計方向に或る程度回動するので、凸状倣わせ面部分１２４は、凹状倣い面部分１２６からそのほぼ全体が抜け出ようとする。したがって、図１６の一点鎖線に示す位置にあるシールド板４は、図１６の二点鎖線に示すように、チンガード６と実質的に一体になってさらに移動する。そして、前記３ヶ所の接触によって、開孔６６に対する軸部１０６の相対的な直線移動が阻止される。このために、チンガード６およびシールド板４は、図１６の一点鎖線に示す位置から図１６の二点鎖線に示す位置まで上昇するとともに前方にも往動する。
【００６０】
（カ）シールド板４およびチンガード６が１６°上昇した状態
【００６１】
図１６において二点鎖線で示す上記（オ）項に記載の状態から図１７において二点鎖線で示す上記（カ）項に記載の状態に持ち来す場合には、チンガード６を手動によってさらに８°だけ上昇させる。このために、上記（オ）項に記載した場合と同様に、開孔６６が軸部１０６に対して図１６に示す時計方向に或る程度回動するので、凸状倣わせ面部分１２４の全体は、凹状倣い面部分１２６から相対的に完全に抜け出してほぼ円形状の倣い面本体部分１２８に接触する。したがって、図１６の二点鎖線に示す位置にあるシールド板４は、図１７の二点鎖線に示すように、チンガード６と実質的に一体になって移動する。そして、前記３ヶ所の接触によって、開孔６６に対する軸部１０６の相対的な直線移動が阻止される。このために、チンガード６およびシールド板４は、図１６の二点鎖線に示す位置から図１７の二点鎖線に示す位置まで上昇するとともに前方にも往動する。
【００６２】
（キ）シールド板４およびチンガード６が８０°上昇した状態
【００６３】
図１７において二点鎖線で示す上記（カ）項に記載の状態から図１８において二点鎖線で示す上記（キ）項に記載の状態に持ち来す場合には、チンガード６を手動によってさらに６４°上昇させる。このために、上記（カ）項に記載した場合と同様に、開孔６６が軸部１０６に対して図１７に示す時計方向に大きく回動するので、凸状倣わせ面部分１２４は、ほぼ円形状の倣い面本体部分１２８に沿って図１７の反時計方向に相対的に移動する。したがって、図１７の二点鎖線に示す位置にあるシールド板４は、図１８の二点鎖線に示すように、チンガード６と実質的に一体になって移動する。そして、前記３ヶ所の接触によって、開孔６６に対する軸部１０６の相対的な直線移動が阻止される。このために、チンガード６およびシールド板４は、前方には実質的に往動することなく、図１７の二点鎖線に示す位置から図１８の二点鎖線に示す位置まで上昇する。なお、図１８の二点鎖線に示す位置は、チンガード６およびシールド板４のそれぞれにとって、最上昇位置になっている。この場合、チンガード６は、シールドベース２４の筒状突起部３３が支持板２１の三角柱状突起部３５を乗り越えてからストッパ用突起部３６に当接することによって、最上昇位置からの上昇を阻止される。また、シールド板４が上記最上昇位置に持ち来されたときには、シールド板４は、このシールド板４の当接部１１４がワッシャ付き軸部材２７のストッパ面１１３に当接することによって、それ以上の上昇を阻止される。
【００６４】
（ク）チンガード６が最下降位置にありかつシールド板４だけが４８°上昇した状態
【００６５】
この（ク）項に記載の状態においては、前記（ア）項に記載の場合と同様に、チンガード６が図１２に示す最下降位置に保持されている。そして、図１１の実線および図１３の一点鎖線で示す位置から図１２の実線で示す位置までシールド板４を上昇させると、シールド板４は、チンガード６が図１２に示す最下降位置に保持されている場合における最上昇位置に持ち来される。この場合、シールド板４の第１および第２の被係合用爪部８５、８６がシールド支軸部材２５の支軸部材本体７５の第１および第２の係合用爪部８７、８８ならびにロック解除用操作部材７６の係合用爪部８２に案内される。また、シールド板４の倣い用突起部１０５がシールドベース２４の倣わせ面７１に沿って下方から上方に移動するので、シールド板４は、単に上昇するだけではなく、多少前方にも移動する。このために、シールド板４の内側面が主帽体５の外側面に不必要に接触することが防止される。そして、シールド板４が４８°上昇した位置に持ち来されたときには、シールド板４は、このシールド板４の第２の被係合用爪部８６の前記第１の被ストッパ部としての被ストッパ用の前端部８６ａがロック解除用操作部材７６の前記第１のストッパ部としての第１のストッパ面１０９に当接する第１の当接によって、それ以上の上昇を阻止される。また、上述のように、シールド板４が４８°上昇した位置に持ち来されたときには、シールド板４は、このシールド板４の第２の被ガイド用突壁部９２ｂの前記第１の被ストッパ部としての被ストッパ用の前端面１１０が前記第１のストッパ部としての第２のストッパ面７９に当接する第２の当接によっても、それ以上の上昇を阻止される。
【００６６】
この場合、シールド板４が上記第１の当接および第２の当接のうちの少なくとも一方（例えば、上記第１の当接）によって主として上昇を阻止されるように構成することができる。なお、ロック解除用操作部材７６を往動操作してシールド板４を取り外すときには、第１のストッパ面１０９が被ストッパ用前端部８６ａに当接しない位置まで往動する。
【００６７】
チンガード６の最下降位置から最上昇位置までの回動角度は、図２、図４および図１８に示すように、８０°である。また、チンガード６を最下降位置に保持した状態で、シールド板４のみを最下降位置から回動させた場合のシールド板４の最上昇位置までの回動角度は、図１２に示すように、４８°である。したがって、シールド板４を最上昇位置に保持したままでチンガード６を最上昇位置まで回動させると、シールド板４が最下降位置から１２８°も回動してしまう可能性が生じる。しかし、上述のように、シールド板４の当接部１１４がワッシャ付き軸部材２７のストッパ面１１３に当接するために、シールド板４の最上昇位置は最下降位置から８０°上昇した位置に規制される。このために、シールド板４を上昇させた状態でチンガード６を上昇させても、シールド板４の最上昇位置は、チンガード６とシールド板４とを一体的に上昇させたときの最上昇位置と実質的に同一である。すなわち、チンガード６の最下降位置からの上昇方向への回動角度をαとした場合、αが０°〜３２°である範囲においては、シールド板４の最下降位置からの上昇方向への回動角度の最大値は、４８°＋αになり、αが３２°〜８０°である範囲においては、シールド板４の最下降位置からの上昇方向への回動角度の最大値は８０°になる。
【００６８】
以上において、本発明の一実施例について詳細に説明したが、本発明はこの実施例に限定されるものではなく、特許請求の範囲に記載された発明の趣旨に基づいて各種の変更および修正が可能である。
【００６９】
例えば、上述の実施例においては、環状倣わせ面１１１を凸型に構成するとともに、環状倣い面６５を凹型に構成した。しかし、これとは逆に、環状倣わせ面１１１を凹型に構成するとともに、環状倣い面６５を凸型に構成してもよい。
【００７０】
また、上述の実施例においては、凹型環状倣い面６５を開孔６６の外周囲によって構成した。しかし、凹型環状倣い面６５を開孔６６の外周囲によって構成する必要は必ずしもなく、凹孔や、部分的に開孔で部分的に凹孔である凹部の外周囲によって凹型環状倣い面６５を構成してもよい。
【００７１】
また、上述の実施例においては、環状倣わせ面１１１および環状倣い面６５のそれぞれを完全な環形状に構成した。しかし、環状倣わせ面１１１および環状倣い面６５のそれぞれは、前記３ヶ所の接触が良好に行われる限り、実質的にほぼ環状に構成されていればよい。
【００７２】
また、上述の実施例においては、シールド板４およびチンガード６のそれぞれの最下降位置から最上昇位置までの回動角度のそれぞれを８０°に構成した。しかし、この回動角度は必ずしも８０°である必要はなく、そして、この回動角度のそれぞれは、実用性の観点から見て一般的に、６０°〜１００°の範囲であるのが好ましく、７０°〜９０°の範囲であるのがさらに好ましい。また、上記回動角度は、シールド板４とチンガード６とで実質的に互いに同一である必要もない。
【００７３】
さらに、上述の実施例においては、チンガード６を最下降位置に保持した状態で、シールド板４のみを最下降位置から回動させた場合の最上昇位置までの回動角度は、４８°である。しかし、この回動角度は、必ずしも４８°である必要はない。そして、この回動角度は、実用性の観点から見て一般的に、３６°〜６０°の範囲であるのが好ましく、４０°〜５６°の範囲であるのがさらに好ましい。
【符号の説明】
【００７４】
１        フルフェイス型ヘルメット
４        シールド板
５        主帽体
６        チンガード（補助帽体）
２１      支持板（支持部、基板部、第１の固定側部材）
２３      チンガード支持機構
２４      シールドベース（シールド板支持部、シールド板用基板部、第１の可動側部材）
２５      シールドベース支持部材（シールド支軸部、第２の可動側部材）
２７      ワッシャ付き軸部材（第２の固定側部材）
３３      筒状突起部（第２の被ストッパ部）
３６      ストッパ用突起部（第２のストッパ部）
６５      凹型環状倣い面
７１      倣わせ面（第２の倣わせ面）
７９      第２のストッパ面（第１のストッパ部）
８６ａ    被ストッパ用前端部（第１の被ストッパ部）
１０５    倣い用突起部（第２の倣い面）
１０９    第１のストッパ面（第１のストッパ部）
１１０    被ストッパ用前端面（第１の被ストッパ部）
１１１    凸型環状倣わせ面
１１３    段差部（被当接部、ストッパ面、第３のストッパ部）
１１４    当接部（第３の被ストッパ部）
１２３    倣わせ面本体部分
１２４    凸状倣わせ面部分（第１の凸状倣わせ面部分）
１２５    凸状倣わせ面部分（第２の凸状倣わせ面部分）
１２６    凹状倣い面部分（第１の凹状倣い面部分）
１２７    幅広の凹状倣い面部分（第２の凹状倣い面部分）
１３１    反り返り形状の倣い面部分
【図１】
0005814726.tif 000002
【図２】
0005814726.tif 000003
【図３】
0005814726.tif 000004
【図４】
0005814726.tif 000005
【図５】
0005814726.tif 000006
【図６】
0005814726.tif 000007
【図７】
0005814726.tif 000008
【図８】
0005814726.tif 000009
【図９】
0005814726.tif 000010
【図１０】
0005814726.tif 000011
【図１１】
0005814726.tif 000012
【図１２】
0005814726.tif 000013
【図１３】
0005814726.tif 000014
【図１３Ａ】
0005814726.tif 000015
【図１３Ｂ】
0005814726.tif 000016
【図１４】
0005814726.tif 000017
【図１５】
0005814726.tif 000018
【図１６】
0005814726.tif 000019
【図１７】
0005814726.tif 000020
【図１８】
0005814726.tif 000021
【図１９】
0005814726.tif 000022